(57)【要約】      （修正有）【課題】畳んだ状態においても自立可能とした折り畳み椅子を提供する。【解決手段】座部１１と、前脚部６ａ、６ｂと、後脚部８ａ、８ｂとからなり、座部および前脚部をそれぞれ回動可能にすることにより折り畳み可能とした椅子であって、前脚部の回動軸の位置を後脚部よりも前側にずらして配置した構成とすることにより、折り畳んだ状態でも前脚部と後脚部とで自立可能とした。また、座部の裏面側に設けられた突起部１と、前脚部の上方端部分に設けられた脚架部２と、を備え、椅子を折り畳んだ状態から座部を押し下げた場合に、突起部が脚架部に当接することにより強制的に前脚部を前方に回動させるように構成したので、座部を押し下げるだけで、椅子としての使用が可能となる。【選択図】図１
0003107819.tif 000002
【実用新案登録請求の範囲】
【請求項１】
座部と、前脚部と、後脚部とからなり、座部および前脚部をそれぞれ回動可能にすることにより折り畳み可能とした椅子であって、前脚部の回動軸の位置を後脚部よりも前側にずらして配置することにより、折り畳んだ状態で自立可能としたことを特徴とする折り畳み椅子。
【請求項２】
座部の裏面側に設けられた突起部と、
前脚部の上方端部分に設けられた脚架部と、を備え、
椅子を折り畳んだ状態から座部を押し下げた場合に、突起部が脚架部に当接することにより強制的に前脚部を前方に回動させることを特徴とする請求項１に記載の折り畳み椅子。
【請求項３】
座部の回動軸を後脚部よりも前側にずらして配置し、
後脚部には、座部の回動を規制する座部回動規制部材を設けてなる請求項１乃至２に記載の折り畳み椅子。
【請求項４】
座部の裏面側に止め部Ｂを設け、
止め部Ｂは座部を上方へ回動させた場合に脚架部に当接することによって、前脚部の下端が前方へ回動することを規制することを特徴とする請求項２に記載の折り畳み椅子。
【考案の詳細な説明】
【技術分野】
【０００１】
本考案は、折り畳みを可能とするとともに、折り畳んだ状態で自立することができるようにした椅子に関するものである。
【背景技術】
【０００２】
従来よりキャンプやレジャー用の椅子として、中空のパイプを用いて、折り畳みを可能とした構造の椅子が知られている。図６の（ａ）はこのような椅子の使用状態であり、図６の（ｂ）は折り畳んだ状態である。このような、いわゆるパイプ椅子はキャンプ等の他、多人数が集まる会議室やイベント会場でも用いられている。
【特許文献１】特開２００１−１７８５７９号公報
【考案の開示】
【考案が解決しようとする課題】
【０００３】
解決しようとする問題点は、図６に示すように折り畳んだ状態では、自立することができないという点である。このため、パイプ椅子を折り畳んで保管する場合には、壁際に立てかけておく等の必要があるが、これでは不安定であり、立てかけた椅子が倒れるという問題があった。
【課題を解決するための手段】
【０００４】
本考案は、前脚部を回動可能にした構造により折り畳みを可能とした椅子を、折り畳んだ状態で自立可能にするため、前脚部の回動軸を後脚部よりも前方に配置したことを最も主要な特徴とする。
【考案の効果】
【０００５】
本考案の折り畳み椅子は、前脚部の回動軸を後脚部よりも前方に配置したことにより、前脚部を折り畳んだ状態でも、前脚部と後脚部とにより椅子自体が自立可能である。
【考案を実施するための最良の形態】
【０００６】
折り畳み椅子を折り畳んだ状態でも自立可能にするという目的を、きわめて簡易な構造で実現した。
【実施例１】
【０００７】
図１は、本考案の折り畳み椅子を折り畳んだ状態の斜視図である。図２は、本考案の折り畳み椅子を折り畳んだ状態の横断面図である。図３は本考案の折り畳み椅子の座部を開いて椅子として使用する状態を示す斜視図である。図４は本考案の折り畳み椅子の座部を開いて椅子として使用する状態の横断面図である。図５は本考案の折り畳み椅子の座部を開いて椅子として使用する状態の平面図である。本実施例では、木材を使用して折り畳み椅子を構成している。
【０００８】
８ａ，８ｂは後脚部である。後脚部８ａ，８ｂの間の上部には上部背もたれ１０が設けられており、上部背もたれ１０の下方には下部背もたれ９が設けられている。後脚部８ａ，８ｂの中央近傍からはそれぞれ横支持部４ａ，４ｂが立設されている。横支持部４ａ，４ｂの先端から後脚部８ａ，８ｂに渡って横保持部５ａ，５ｂが設けられている。横保持部５ａ，５ｂの内側部分には、突出させた止め部Ａ１３ａ，１３ｂが設けられている。座部１１は、横支持部４ａ，４ｂの中央部分を回動軸（座部軸７）として回動可能に設けられている。座部１１の人が座る面の裏面の略中央部分には突起部１が設けられており、突起部１の形成位置よりも後脚部８ａ，８ｂ側（座部１１を下ろした状態において）には止め部Ｂ１４ａ，１４ｂが設けられている。前脚部６ａ，６ｂは、横保持部５ａ，５ｂに設けられた回動軸（前脚軸１２）により回動可能に設けられている。即ち、前脚部６ａ，６ｂの回動軸（前脚軸１２）の位置は、後脚部８ａ，８ｂよりも前側にずらして配置されている。前脚部６ａ，６ｂの上部間には脚架部２が設けられている。脚架部２の中央部分には凹部３が設けられている。
【０００９】
図１及び図２を用いて、本考案の折り畳み椅子を折り畳んだ状態について説明する。本考案の折り畳み椅子を折り畳む場合には、座部１１の前方部分を上方に回動させる。次に前脚部６ａ，６ｂの下方端を後脚部８ａ，８ｂ側に回動させる。横保持部５ａ，５ｂの内側部分には止め部Ａ１３ａ，１３ｂが設けられており、これにより前脚部６ａ，６ｂの後脚部８ａ，８ｂ側への回動を規制している。即ち、止め部Ａ１３ａ，１３ｂに前脚部６ａ，６ｂが当接した位置が、本考案にかかる折り畳み椅子を折り畳んだ状態における前脚部６ａ，６ｂの位置となる。また、座部１１を上方へ回動させることによって、座部１１の裏面に設けられた止め部Ｂ１４ａ，１４ｂが脚架部２に当接し、脚架部２を前方へ押し出すように作用する。これにより、座部１１を上げた状態を保持する限り、前脚部６ａ，６ｂの下方端部分が前方に回動することはない。座部１１を上げた状態を保持するには、紐で上部背もたれ９と結びつける等の手段が考えられる。本考案の折り畳み椅子を折り畳んだ状態では、図１，２に示すごとく、前脚部６ａ，６ｂ及び後脚部８ａ，８ｂによって自立している。これは前脚部６ａ，６ｂの前脚軸１２の位置を後脚部８ａ，８ｂよりも前方へ配置させたことにより可能となったものである。
【００１０】
図３及び図４を用いて、本考案の折り畳み椅子を使用する場合について説明する。図１，２に示す状態から、座部１１の先端を下方に回動させることにより、突起部１が脚架部２の凹部３に当接する。更に座部１１を押し下げると、脚架部２が下方に押され、これによって前脚部６ａ，６ｂの下方端が強制的に前方へ回動する。従って、座部１１を下方に回動させるだけで、前脚部６ａ，６ｂを椅子として使用する際の所定の位置に配置させることができる。また、前脚部６ａ，６ｂを前方へ回動させた場合に、脚架部２が止め部Ｂ１４ａ，１４ｂに当接する。これにより前脚部６ａ，６ｂの前方への回動が規制される。図４に示すように、椅子としての使用状態においては、座部１１の後端部分が下部背もたれ１０に当接することによりその回動が規制されている。また、脚架部２が止め部Ｂ１４ａ，１４ｂに当接することによりその回動が規制されている。
【産業上の利用可能性】
【００１１】
本考案の折り畳み椅子は畳んだ状態においても自立可能であるため、収納に便利である。また、座部を押し下げるだけで前脚部が前方に押し出されるため、きわめて簡便な操作により椅子として使用可能な状態にすることができる。
【図面の簡単な説明】
【００１２】
【図１】本考案の折り畳み椅子を折り畳んだ状態の斜視図である。
【図２】本考案の折り畳み椅子を折り畳んだ状態の横断面図である。
【図３】本考案の折り畳み椅子の座部を開いて椅子として使用する状態を示す斜視図である。
【図４】本考案の折り畳み椅子の座部を開いて椅子として使用する状態の横断面図である。
【図５】本考案の折り畳み椅子の座部を開いて椅子として使用する状態の平面図である。
【図６】従来の椅子である。
【符号の説明】
【００１３】
１    突起部
２    脚架部
３    凹部
４ａ，４ｂ    横支持部
５ａ，５ｂ    横保持部
６ａ，６ｂ    前脚部
７    座部軸
８ａ，８ｂ    後脚部
９    上部背もたれ
１０    下部背もたれ
１１    座部
１２    前脚部
１３ａ，１３ｂ    止め部Ａ
１４ａ，１４ｂ    止め部Ｂ
【図１】
0003107819.tif 000003
【図２】
0003107819.tif 000004
【図３】
0003107819.tif 000005
【図４】
0003107819.tif 000006
【図５】
0003107819.tif 000007
【図６】
0003107819.tif 000008